(57)【要約】【課題】吸熱器１０５を通過して温度が低下した空気を分離して室内に吹出すことによって、冷風感を得ることが可能な除湿装置を提供する。【解決手段】ヒートポンプ１１８と、吸湿部１２０及び放湿部１２１を有する吸放湿手段１１９と、除湿対象空気１１６を放熱器１０３、放湿部１２１、吸熱器１０５、吸湿部１２０の順に供給して室内よりも温湿度の低下した空気を吹出すメイン送風ファン１と、室内空気を放熱器１０３に供給し室内に吹出すバイパス送風ファン２と、メイン送風ファン１とバイパス送風ファン２の吹出し空気を合流又は分離とに切替える切替え手段１９を備えた除湿装置であって、第１吹出し口１６と第２吹出し口１７と第３吹出し口１８を有し、切替え手段１９は、第２吹出し口１７を閉塞または開放することにより、前記バイパス送風ファン２とメイン送風ファン１の吹出し空気を混合または分離可能な構造とする。【選択図】図１
2006205032.tif 000002
【特許請求の範囲】
【請求項１】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）と、除湿対象空気（１１６）を前記放熱器（１０３）、前記放湿部（１２１）、前記吸熱器（１０５）、前記吸湿部（１２０）の順に供給することにより室内よりも温湿度の低下した空気を吹出すメイン送風ファン（１）と、室内空気を前記放熱器（１０３）に供給し室内に吹出すバイパス送風ファン（２）と、前記メイン送風ファン（１）の吹出し空気を前記バイパス送風ファン（２）の吹出し空気と混合または分離させるのを切替えるための切替え手段（１９）を備えた除湿装置であって、前記メイン送風ファン（１）の吹出し空気を吹出す第１吹出し口（１６）と、前記バイパス送風ファン（２）の吹出し空気を吹出すために分岐した第２吹出し口（１７）および第３吹出し口（１８）を有し、前記切替え手段（１９）の操作により、前記第２吹出し口（１７）が閉塞または開放され、前記バイパス送風ファン（２）の吹出し空気とメイン送風ファン（１）の吹出し空気とを合流または分離のいずれかに切替えて吹出し可能としたことを特徴とする除湿装置。
【請求項２】
切替え手段（１９）は、第２吹出し口（１７）と第３吹出し口（１８）を同時に開放することを特徴とする請求項１記載の除湿装置。
【請求項３】
第３吹出し口（１８）の通風抵抗を第２吹出し口（１７）よりも大きくしたことを特徴とする請求項１または請求項２記載の除湿装置。
【請求項４】
切替え手段（１９）を第２吹出し口（１７）に設けられた２本のレール（２０）の間に摺動可能に架橋された可動板にて構成し、前記切替え手段（１９）に摺動促進手段を備えたことを特徴とする請求項１〜３のいずれかに記載の除湿装置。
【請求項５】
摺動促進手段は、切替え手段（１９）を摺動させる操作部と、前記切替え手段（１９）の摺動方向と平行に凸部（２１）と凹部（２２）を設けたことを特徴とする請求項４記載の除湿装置。
【請求項６】
切替え手段（１９）の可動板を第２吹出口（１７）の開放位置または閉塞位置にて固定する固定手段を設けることを特徴とする請求項１〜５のいずれかに記載の除湿装置。
【請求項７】
固定手段は、可動板に設けられた磁石（２３）および固定側に設けられた金属板（２４）にて構成され、第２吹出口（１７）の開放位置または閉塞位置で、前記金属板（２４）と前記磁石（２３）が固着してなる請求項６記載の除湿装置。
【請求項８】
切替え手段（１９）に付設して摺動するバネ押し部（２５）と、このバネ押し部（２５）に当接して摺動方向に取り付けられた板バネ（２６）を有し、この板バネ（２６）は中央付近に設けた凸状の切替え摺動部（２８）と、この切替え摺動部（２８）の両側に設けた凹状の切替え固定部（２７）を備え、固定手段は、前記バネ押し部（２５）部が前記切替え固定部（２７）に係合する構成とした請求項６記載の除湿装置。
【請求項９】
切替え手段（１９）の切替え位置を検出する位置検出手段を備えたことを特徴とする請求項１〜８のいずれかに記載の除湿装置。
【請求項１０】
位置検出手段は、可動板に取り付けられた磁石（２３）と固定側に取り付けられた非接触型検出装置（２９）で構成されていることを特徴とする請求項９記載の除湿装置。
【請求項１１】
位置検出手段は、固定側に取り付けられた接触型検出装置（３０）を可動板が押す構造であることを特徴とする請求項９記載の除湿装置。
【請求項１２】
切替え手段（１９）の近傍に除湿装置の制御を行う電装基板（３１）を配置し、位置検出手段を前記電装基板（３１）に搭載することを特徴とする請求項９〜１１のいずれかに記載の除湿装置。
【請求項１３】
位置検出手段は、切替え手段（１９）が第２吹出口（１７）を閉塞した状態を検出し、より効果的に冷風を出す制御を行うことを特徴とする請求項９〜１２のいずれかに記載の除湿装置。
【請求項１４】
切替え手段（１９）の可動板の下方にバイパス送風ファン（２）の吹出し空気を流通させ、可動板の下方面に前記バイパス送風ファン（２）の吹出し空気を案内する案内リブ（３２）を設けることを特徴とする請求項１〜１３のいずれかに記載の除湿装置。
【請求項１５】
切替え手段（１９）の可動板の下方にバイパス送風ファン（２）の吹出し空気を流通させ、可動板の下方面に前記バイパス送風ファン（２）の吹出し空気の抵抗となる抵抗リブ（３３）を設けることを特徴とする請求項１〜１３のいずれかに記載の除湿装置。
【発明の詳細な説明】
【技術分野】
【０００１】
本発明は、圧縮機、放熱器、膨張機構、吸熱器等から構成されるヒートポンプと、吸着剤や吸収剤を用いて吸放湿を行う吸放湿手段を備えた除湿装置に関する。
【背景技術】
【０００２】
従来のヒートポンプと吸放湿手段を備えた除湿装置としては、放熱器、吸放湿手段の放湿部、吸熱器の順に空気を循環させるものがある（例えば、特許文献１参照）。
【０００３】
以下、その除湿装置について図６を参照しながら説明する。
【０００４】
図６に示すように、除湿装置の本体１０１内には、圧縮機１０２、放熱器１０３、膨張機構１０４、吸熱器１０５を配管接続した冷媒回路１０６と、吸着剤１０７が担持されたハニカムローター１０８が設けられており、循環ファン１０９によって送風される循環空気１１０が、放熱器１０３、ハニカムローター１０８の一部、吸熱器１０５の順に循環するように循環経路１１１が形成されている。また、ハニカムローター１０８の他の部分は、吸込口１１２および吹出口１１３を開口した供給経路１１４内に配置されており、供給ファン１１５によって除湿対象空気１１６が供給されている。また、冷媒回路１０６内には冷媒１１７が充填されており、この冷媒１１７が、圧縮機１０２で圧縮されることによって、放熱器１０３、膨張機構１０４、吸熱器１０５の順に冷媒回路１０６内を循環し、放熱器１０３において循環空気１１０に放熱するとともに、吸熱器１０５において循環空気１１０から吸熱することによってヒートポンプ１１８を動作させている。ハニカムローター１０８は、図示しない駆動手段によって回転しており、この回転に伴いハニカムローター１０８に担持された吸着剤１０７が、循環経路１１１内における循環空気１１０との接触と供給経路１１４内における除湿対象空気１１６との接触を繰り返している。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。ここで、循環経路１１１内で吸着剤１０７と接触する循環空気１１０は、放熱器１０３において冷媒１１７の放熱により加熱されて除湿対象空気１１６よりも低い相対湿度の空気となっているので、この相対湿度の差によって、吸着剤１０７が、除湿対象空気１１６中の水分を吸着し、吸着した水分を循環空気１１０中に脱着するように作用する。この吸脱着作用によって吸放湿手段１１９としての動作がなされることとなり、ハニカムローター１０８の供給経路１１４内に位置する部分が除湿対象空気１１６から吸湿する吸湿部１２０、ハニカムローター１０８の循環経路１１１内に位置する部分が循環空気１１０へ放湿する放湿部１２１となる。吸湿部１２０において吸湿された除湿対象空気１１６は低湿の空気となって吹出口１１３から本体１０１外部に吹出し、放湿部１２１において放湿された循環空気１１０は、高湿の空気となって吸熱器１０５に供給される。吸熱器１０５に供給された高湿の循環空気１１０は、冷媒１１７の吸熱によって露点温度以下まで冷却されて空気中の水分が飽和する。この飽和した水分が凝縮してタンク１２２に滴下し、このタンク１２２に溜まった凝縮水の量が除湿装置の除湿量となるのである。
【特許文献１】特開昭６３−１４２３号公報（第２−３頁、第１図）
【発明の開示】
【発明が解決しようとする課題】
【０００５】
以上の例では、吸湿部１２０において除湿対象空気１１６から吸湿し、この吸湿した水分を、放熱器１０３で加熱した高温の循環空気１１０を放湿部１２１に供給することによって放湿させ、この放湿させた水分を含んだ高湿の循環空気１１０を吸熱器１０５において冷却して水分を飽和させるとことにより除湿するようにしている。したがって、暑い時期などに除湿をしながら冷風感を得たいというニーズに応えるには、吸熱器１０５を通過することによって温度が低下した空気を、吹出し空気から分離して室内に吹出す必要があり、循環経路１１１を形成する構造では、風量バランスが崩れて除湿能力が低下するという課題があった。
【０００６】
本発明は上記課題を解決するものであり、除湿能力を下げることなく、吸熱器１０５を通過して温湿度が低下した空気を分離して室内に吹出すことができ、冷風感を得ることが可能な除湿装置を提供することを目的としている。
【課題を解決するための手段】
【０００７】
上記した目的を達成するために、本発明が講じた第１の課題解決手段は、冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）と、除湿対象空気（１１６）を前記放熱器（１０３）、前記放湿部（１２１）、前記吸熱器（１０５）、前記吸湿部（１２０）の順に供給することにより室内よりも温湿度の低下した空気を吹出すメイン送風ファン（１）と、室内空気を前記放熱器（１０３）に供給し室内に吹出すバイパス送風ファン（２）と、前記メイン送風ファン（１）の吹出し空気を前記バイパス送風ファン（２）の吹出し空気と混合または分離させるのを切替えるための切替え手段（１９）を備えた除湿装置であって、前記メイン送風ファン（１）の吹出し空気を吹出す第１吹出し口（１６）と、前記バイパス送風ファン（２）の吹出し空気を吹出すために分岐した第２吹出し口（１７）および第３吹出し口（１８）を有し、前記切替え手段（１９）の操作により、前記第２吹出し口（１７）が閉塞または開放され、前記バイパス送風ファン（２）の吹出し空気とメイン送風ファン（１）の吹出し空気とを合流または分離のいずれかに切替えて吹出し可能な構造としたものである。
【０００８】
この手段により、切替え手段（１９）によって第２吹出し口（１７）を開放した場合、吸熱器（１０５）を通過して温湿度の低下したメイン送風ファン（１）の吹出し空気と、放熱器（１０３）を通過して温度の上昇したバイパス送風ファン（２）の吹出し空気とが、それぞれ第１吹出し口（１６）と第２吹出し口（１７）から混合されて吹出すこととなる。また、切替え手段（１９）によって第２吹出し口（１７）を閉塞した場合、放熱器（１０３）を通過して温度の上昇したバイパス送風ファン（２）の吹出し空気を第３吹出し口（１８）へと流通させることにより、吸熱器（１０５）を通過して温湿度の低下したメイン送風ファン（１）の吹出し空気と分離されて吹出すこととなる。これにより、温風と冷風の混合あるいは分離を選択することが可能となる。
【０００９】
また、本発明が講じた第２の課題解決手段は、切替え手段（１９）が第２吹出し口（１７）と第３吹出し口（１８）を同時に開放する構造としたものである。
【００１０】
この手段により、切替え手段（１９）が第２吹出し口（１７）を開放している場合、ほとんど全ての空気が第２吹出し口（１７）から送風されるため、吹出し空気の分散を防ぐことができる。
【００１１】
また、本発明が講じた第３の課題解決手段は、第３吹出し口（１８）の通風抵抗を第２吹出し口（１７）よりも大きくした構造としたものである。
【００１２】
この手段により、切替え手段（１９）が第２吹出し口（１７）を閉塞している場合、ほとんど全ての空気は第３吹出し口（１８）から送風されるため、吹出し空気の分散を防ぐことができる。
【００１３】
また、本発明が講じた第４の課題解決手段は、切替え手段（１９）を第２吹出し口（１７）に設けられた２本のレール（２０）の間に摺動可能に架橋された可動板（１９ａ）にて構成し、前記切替え手段（１９）に摺動促進手段を備えた構成としたものである。
【００１４】
この手段により、切替え手段（１９）をレール（２０）に沿って摺動させることによって、スムーズに開閉させることが可能となる。
【００１５】
また、本発明が講じた第５の課題解決手段は、摺動促進手段は、切替え手段（１９）を摺動させる操作部と、前記切替え手段（１９）の摺動方向と平行に凸部（２１）と凹部（２２）を設けた構成としたものである。
【００１６】
この手段により、切替え手段（１９）を摺動方向以外の方向に動きにくいように規制することにより、摺動方向への開閉をスムーズにさせることが可能となる。
【００１７】
また、本発明が講じた第６の課題解決手段は、切替え手段（１９）の可動板（１９ａ）を第２吹出し口（１７）の開放位置または閉塞位置にて固定する固定手段を設ける構成としたものである。
【００１８】
この手段により、切替え手段（１９）が開放状態または閉塞状態の位置で固定されるため、風圧や振動によって前記切替え手段（１９）が意に反して移動しないよう規制することが可能となる。
【００１９】
また、本発明が講じた第７の課題解決手段は、固定手段が可動板（１９ａ）に設けられた磁石（２３）および、固定側に設けられた金属板（２４）にて構成され、第２吹出し口（１７）の開放位置または閉塞位置で、金属板（２４）と磁石（２３）が固着してなる構成としたものである。
【００２０】
この手段により、切替え手段（１９）および固定側に設けられた磁石（２３）と金属板（２４）が固着することにより、確実に切替え手段（１９）を固定することが可能となる。
【００２１】
また、本発明が講じた第８の課題解決手段は、切替え手段（１９）に付設して摺動可能となるバネ押し部（２５）と、このバネ押し部（２５）に当接して摺動方向に取り付けられた板バネ（２６）を有し、この板バネ（２６）は中央付近に設けた凸状の切替え摺動部（２８）と、この切替え摺動部（２８）の両側に設けた凹状の切替え固定部（２７）を備え、固定手段は、前記バネ押し部（２５）部が前記切替え固定部（２７）に係合する構成としたものである。
【００２２】
この手段により、切替え手段（１９）の可動板（１９ａ）を摺動させる切替え摺動部（２８）ではテンションがかかるため圧接状態で摺動がなされ、凹状の切替え固定部（２７）ではテンションから解放され係合状態で固定されやすくなる。
【００２３】
また、本発明が講じた第９の課題解決手段は、切替え手段（１９）の切替え位置を検出する位置検出手段を備えた構成としたものである。
【００２４】
この手段では、切替え手段（１９）の切替え状況を検知することによって、切替え手段（１９）の位置に最適な運転状態の制御が可能となる。
【００２５】
また、本発明が講じた第１０の課題解決手段は、位置検出手段が可動板（１９ａ）に取り付けられた磁石（２３）と固定側に取り付けられた非接触型検出装置（２９）で構成したものである。
【００２６】
この手段により、位置検出手段を、可動板（１９ａ）に取り付けられた磁石（２３）と固定側に取り付けられた非接触型検出装置（２９）で構成することにより、切替え手段（１９）の位置検出をさらに確実なものとすることができ、固定手段として用いた磁石を兼用することにより、部品点数を削減できる。
【００２７】
また、本発明が講じた第１１の課題解決手段は、位置検出手段は、固定側に取り付けられた接触型検出装置（３０）を可動板（１９ａ）が押す構成としたものである。
【００２８】
この手段により、位置検出手段を固定側に取り付けられた接触型検出装置（３０）を可動板（１９ａ）が押す構成とすることにより、切替え手段（１９）の位置検出をさらに確実なものとすることができる。
【００２９】
また、本発明が講じた第１２の課題解決手段は、位置検出手段は、固定側に取り付けられた接触型検出装置（３０）を可動板（１９ａ）が押す構成としたものである。
【００３０】
この手段では、位置検出手段を電装基板（３１）に搭載することにより、位置検出手段のための電装基板を省略することが可能となる。
【００３１】
また、本発明が講じた第１３の課題解決手段は、位置検出手段は、切替え手段（１９）が第２吹出し口（１７）を閉塞した状態を検出し、より効果的に冷風を出す制御を行う構成としたものである。
【００３２】
この手段では、切替え手段（１９）が第２吹出し口（１７）を閉塞したことを検出することにより、検出時に本体内のヒーターの通電を止め、より冷風の温度を低下させることが可能となる。
【００３３】
また、本発明が講じた第１４の課題解決手段は、切替え手段（１９）の可動板（１９ａ）の下方にバイパス送風ファン（２）の吹出し空気を流通させ、可動板（１９ａ）の下方面に前記バイパス送風ファン（２）の吹出し空気を案内する案内リブ（３２）を設ける構成としたものである。
【００３４】
この手段では、切替え手段（１９）の下方面にバイパス送風ファン（２）の吹出し空気を案内する案内リブ（３２）を設けることによって、バイパス送風ファン（２）の風量低下を最小限におさえることが可能となる。
【００３５】
また、本発明が講じた第１５の課題解決手段は、切替え手段（１９）の可動板（１９ａ）の下方にバイパス送風ファン（２）の吹出し空気を流通させ、可動板（１９ａ）の下方面に前記バイパス送風ファン（２）の吹出し空気の抵抗となる抵抗リブ（３３）を設ける構成としたものである。
【００３６】
この手段において、風の力を利用して、切替え手段（１９）の固定をより確実なものにすることが可能となる。
【発明の効果】
【００３７】
本願発明は、かかる構成とすることにより以下に記載されるような効果を奏するものである。
【００３８】
（イ）本願の第１の発明にかかる除湿装置によれば、切替え手段（１９）によって第２吹出し口（１７）を開放した場合、吸熱器（１０５）を通過して温湿度の低下したメイン送風ファン（１）の吹出し空気と、放熱器（１０３）を通過して温度の上昇したバイパス送風ファン（２）の吹出し空気とが、それぞれ第１吹出し口（１６）と第２吹出し口（１７）から混合されて吹出すこととなる。また、切替え手段（１９）によって第２吹出し口（１７）を閉塞した場合、放熱器（１０３）を通過して温度の上昇したバイパス送風ファン（２）の吹出し空気を第３吹出し口（１８）へと流通させることにより、吸熱器（１０５）を通過して温湿度の低下したメイン送風ファン（１）の吹出し空気と分離されて吹出すこととなる。これにより、使用者が任意に切替え手段（１９）を作動させることによって、温風と冷風の混合または分離の選択が可能となる。温風と冷風を混合して吹出させる場合は、衣類等の対象を乾燥させる場合に有利で、分離して吹出させる場合は、除湿運転をしながら冷風感を得ることができる。
【００３９】
（ロ）本願の第２の発明にかかる除湿装置によれば、切替え手段（１９）が第２吹出し口（１７）を開放している時、第３吹出し口（１８）を閉塞しないことにより、ルーバーや布等の異物によって第２吹出し口（１７）の通風面積が減少した場合でも、第３吹出し口（１８）へとバイパス送風ファン（２）の吹出し空気を流通させることができるため、バイパス送風ファン（２）の風量低下による本体（１００）内および圧縮機（１０２）の温度上昇を防止することが可能となり、送風ファンや圧縮機の小型化を実現することができる。
【００４０】
（ハ）本願の第３の発明にかかる除湿装置によれば、切替え手段（１９）が第２吹出し口（１７）を閉塞している場合、ほとんど全ての空気は第３吹出し口（１８）から送風され、第２吹出し口（１７）を開放している場合、第３吹出し口（１８）が開放された状態であっても、ほとんど全ての空気が第２吹出し口（１７）から送風されることとなる。これにより、第２吹出し口（１７）を開放する時に第３吹出し口（１８）を閉塞する必要が無くなり、第３吹出し口（１８）を閉塞する手段を省略することができる。また、切替え手段（１９）の構造を簡略化することも可能となる。
【００４１】
（ニ）本願の第４の発明にかかる除湿装置によれば、切替え手段（１９）をレール（２０）に沿って摺動させることによって、スムーズに開閉させることが可能となる。また、スムーズに開閉できることにより、切替え手段（１９）の故障発生の可能性も低減させることができる。
【００４２】
（ホ）本願の第５の発明にかかる除湿装置によれば、切替え手段（１９）を摺動方向以外の方向に動きにくいように規制することにより、摺動方向への開閉をスムーズにさせることが可能となる。また、スムーズに開閉できることにより、切替え手段（１９）の故障発生の可能性も低減させることができる。
【００４３】
（ヘ）本願の第６の発明にかかる除湿装置によれば、切替え手段（１９）が開放状態または閉塞状態の位置で固定されることにより、風圧や振動により前記切替え手段（１９）が意に反して移動しないよう規制することが可能となる。
【００４４】
（ト）本願の第７の発明にかかる除湿装置によれば、切替え手段（１９）および固定側に設けられた磁石（２３）と金属板（２４）が固着することにより、確実に切替え手段（１９）を固定することが可能となる。
【００４５】
（チ）本願の第８の発明にかかる除湿装置によれば、前記板バネ（２６）の摺動面において、切替え手段（１９）のバネ押し部（２５）は、凸状の切替え摺動部（２８）ではテンションがかかる摺動状態となり、凹状の切替え固定部（２７）ではテンションから解放されて係合するため、第２吹出し口（１７）を全開または全閉状態となる切替え固定部（２７）の位置で固定される。これにより、切替え摺動部（２８）と切替え固定部（２７）で手に伝わる摺動感覚が異なるため、良好な操作感を得ることができる。
【００４６】
（リ）本願の第９の発明にかかる除湿装置によれば、切替え手段（１９）の切替え状況を検知することによって、切替え手段（１９）の位置に最適な運転状態の制御が可能となる。
【００４７】
（ヌ）本願の第１０の発明にかかる除湿装置によれば、切替え手段（１９）の位置検出をより確実なものとすることが可能となる。上記（ト）に記載した磁石（２３）との共用も可能であり、構成の簡略化も可能となる。また、非接触型検出装置（２９）を用いることにより、検出の耐久信頼性も向上する。
【００４８】
（ル）本願の第１１の発明にかかる除湿装置によれば、切替え手段（１９）の位置検出をより確実なものとすることが可能となる。また、接触式検出装置（３０）を用いることにより、検出の信頼性も向上する。
【００４９】
（ヲ）本願の第１２の発明にかかる除湿装置によれば、位置検出手段を電装基板（３１）に搭載することにより、位置検出手段のための電装基板を省略することが可能となり、コストダウンと省スペースを実現できる。
【００５０】
（ワ）本願の第１３の発明にかかる除湿装置によれば、切替え手段（１９）が第２吹出し口（１７）を閉塞したことを検出することにより、検出時に本体内のヒーターの通電を止め、より冷風の温度を低下させることが可能となる。
【００５１】
（カ）本願の第１４の発明にかかる除湿装置によれば、切替え手段（１９）の下方面にバイパス送風ファン（２）の吹出し空気を案内する案内リブ（３２）を設けることによって、バイパス送風ファン（２）の風量低下を最小限におさえ、バイパス送風ファン（２）の風量低下による本体（１０１）内および圧縮機（１０２）の温度上昇を防止することが可能となる。
【００５２】
（ヨ）本願の第１５の発明にかかる除湿装置によれば、風の力を利用して、切替え手段（１９）の固定をより確実なものにすることが可能となる。
【発明を実施するための最良の形態】
【００５３】
以下、本発明の実施の形態について図面を参照しながら説明する。なお、従来の例と同一の構成要素については同一の符号を用い、詳細な説明は省略する。
【００５４】
（実施の形態１）
図１〜図７に示すように、除湿装置の本体１０１内に、圧縮機１０２、放熱器１０３、膨張機構１０４、吸熱器１０５を配管接続した冷媒回路１０６と、供給空気から吸湿する吸湿部１２０および供給空気に放湿する放湿部１２１を有する吸放湿手段１１９を設け、冷媒回路１０６内に冷媒１１７を充填している。また、本体１０１には吸込口１１２と吹出口１１３を開口し、メイン送風ファン１とバイパス送風ファン２の運転によって、吸込口１１２から除湿対象空気１１６と加熱対象空気３とパージ空気４を本体１０１内に供給する構成としている。そして、本体１０１内に供給された除湿対象空気１１６が、メイン送風ファン１によって放熱器１０３、放湿部１２１、吸熱器１０５、吸湿部１２０に順に供給されて吹出口１１３より本体１０１外部に流出し、また、加熱対象空気３が、バイパス送風ファン２によって、除湿対象空気１１６と同一方向から放熱器１０３に供給されて吹出口１１３より本体１０１外部に流出し、また、パージ空気４が、バイパス送風ファン２によって、除湿対象空気１１６と同一方向から吸湿部１２０に供給されて吹出口１１３より本体１０１外部に流出するように風路を形成している。そして、圧縮機１０２により冷媒１１７を圧縮することによって、冷媒１１７が、放熱器１０３、膨張機構１０４、吸熱器１０５の順に冷媒回路１０６内を循環し、放熱器１０３に供給される除湿対象空気１１６および加熱対象空気３に対して放熱するとともに吸熱器１０５に供給される除湿対象空気１１６から吸熱することによってヒートポンプ１１８を作動させる構成となっている。
【００５５】
本体１０１はケース上５、ケース下６、ケース左７、ケース右８、ケース前９、ケース後１０の６部品によって形成し、ケース上５には吹出口１１３と装置の操作を行う操作パネル１１と取っ手１２が設けられている。ケース後１０には吸込口１１２を設け、その吸込口１１２にはフィルター１３が設けられている。ケース下６の上には水受け部１４と圧縮機１０２とタンク１２２が配置され水受け部１４の上に放熱器１０３、膨張機構１０４、吸熱器１０５、吸放湿手段１１９、メイン送風ファン１、バイパス送風ファン２、吸熱器カバー１５が構成される構造となっている。
【００５６】
吹出し口は第１吹出し口１６、第２吹出し口１７、第３吹出し口１８から形成され、第２吹出し口１７と第３吹出し口１８は、切替え手段１９によって風路が切替えられるように構成されている。メイン送風ファン１の吹出し空気は、そのまま第１吹出し口１６より吹出し、バイパス送風ファン２の吹出し空気は、切替え手段１９が第２吹出し口１７を開放している場合は第２吹出し口１７から、また、切替え手段１９が第２吹出し口１７を閉塞している場合は、第３吹出し口１８から吹出す。すなわち、切替え手段１９が第２吹出し口１７を開放している場合は、メイン送風ファン１とバイパス送風ファン２の吹出し空気が、それぞれ、第１吹出し口１６と第２吹出し口１７から混合されて本体１０１の前面より吹出し、切替え手段１９が第２吹出し口１７を閉塞している場合は、メイン送風ファン１の吹出し空気は第１吹出し口１６から本体１０１の前面へ、また、バイパス送風ファン２の吹出し空気は第３吹出し口１８より本体１０１の背面より分離して吹出すものである。
【００５７】
また図４、図５に示すように、切替え手段１９は第２吹出し口１７に設けられた２本のレール２０に摺動可能に架橋されており、第２吹出し口１７を開放または閉塞することによって、バイパス送風ファン２の吹出し空気の吹出し口を切替えることが可能となっている。また、切替え手段１９には磁石２３が取り付けられており、固定側に設けられた金属板２４と固着することにより、切替え手段１９を確実に固定することができる。また、磁石２３が電装基板に取り付けられた被接触型検出装置２９を作動させることによって、切替え手段１９の位置を検出することができる。切替え手段１９の下方面には、第３吹出し口１８への吹出し空気を案内する案内リブ３２と、吹出し空気の抵抗となる抵抗リブ３３が設けられている。
【００５８】
図６、図７に示すように、切替え手段１９の摺動部分には、摺動方向と平行に凸部２１と凹部２２が設けられており、常に嵌合しながら摺動している。また、固定側には板バネ２６が取り付けられ、板バネ２６は切替え手段１９を固定したい切替え固定部２７が凹形状をなし、摺動させたい切替え摺動部２８が切替え手段１９側に凸形状に形成されており、切替え手段１９のバネ押し部２５が板バネ２６を押しながら摺動する。また、電装基板３１に接触型検出装置３０が取り付けられており、切替え手段１９が接触型検出装置３０を作動させることで、切替え手段１９の位置を検出する構造となっている。
【００５９】
上記構成において、切替え手段１９によって第２吹出し口１７を開放した場合、吸熱器１０５を通過して温湿度の低下したメイン送風ファン１の吹出し空気と、放熱器１０３を通過して温度の上昇したバイパス送風ファン２の吹出し空気とが、それぞれ第１吹出し口１６と第２吹出し口１７から混合されて吹出すこととなる。また、切替え手段１９によって第２吹出し口１７を閉塞した場合、放熱器１０３を通過して温度の上昇したバイパス送風ファン２の吹出し空気を第３吹出し口１８へと流通させることにより、吸熱器１０５を通過して温湿度の低下したメイン送風ファン１の吹出し空気と分離されて吹出すこととなる。これにより、使用者が任意に切替え手段１９を作動させることによって、温風と冷風を合流して主吹出し口から吹出すか、混合または分離して吹出すかの選択をすることができる。
【００６０】
また、切替え手段１９が第２吹出し口１７を開放している時、第３吹出し口１８を閉塞しないことにより、ルーバーや布等の異物によって第２吹出し口１７の通風面積が減少した場合でも、第３吹出し口１８へとバイパス送風ファン２の吹出し空気を流通させることができるため、バイパス送風ファン２の風量低下による本体１０１内および圧縮機１０２の温度上昇を防止することが可能となり、送風ファンや圧縮機の過負荷状態を回避することができる。
【００６１】
また、切替え手段１９が第２吹出し口１７を閉塞している場合、ほとんど全ての空気は第３吹出し口１８から送風され、第２吹出し口１７を開放している場合、第３吹出し口１８が開放された状態であっても、ほとんど全ての空気が第２吹出し口１７から送風されるため、第２吹出し口１７を開放する時に第３吹出し口１８を閉塞する必要が無くなり、第３吹出し口１８を閉塞する手段を省略することができる。また、切替え手段１９の構造を簡略化することもできる。
【００６２】
また、切替え手段１９を２本のレール２０に摺動可能に架橋することにより、切替え手段１９をスムーズに開閉させることができる。
【００６３】
また、切替え手段１９を凸部２１と凹部２２で嵌合させて摺動させることにより、切替え手段１９をスムーズに開閉させることができる。
【００６４】
また、切替え手段１９が開放状態または閉塞状態の位置で固定されることにより、風圧や振動により切替え手段１９が意に反して移動しないよう規制することができる。
【００６５】
また、切替え手段１９および固定側に磁石２３と金属板２４を設け、これらが固着することにより、確実に切替え手段１９を固定することができる。
【００６６】
また、固定側に、切替え手段１９を固定したい部分２７よりも摺動させたい部分２８の方が切替え手段１９側にふくらんで形成されている板バネ２６を設け、切替え手段１９のバネ押し部２５が、板バネ２６を押しながら摺動させることにより、切替え手段１９を摺動させたい部分２８では板バネ２６によりテンションがかかるため摺動が重くなり、固定させたい位置２７では板バネ２６のテンションから解放されるため、切替え手段１９が開放状態または閉塞状態の位置２７で固定されやすく、かつ摺動部分２８で停止しにくくなる。また、摺動部分２８と固定部分２７で手に伝わる摺動感覚が異なるため、ある程度のクリック感を得ることができる。
【００６７】
また、切替え手段１９の切替え状況を検知することによって、切替え手段１９の位置に最適な運転状態の制御を行うことができる。
【００６８】
また、切替え手段１９の切替え状況を非接触型検出装置２９で検知することによって、検出精度を上げることができる。
【００６９】
また、切替え手段１９の切替え状況を接触型検出装置３０で検知することによって、検出精度を上げることができる。
【００７０】
また、切替え手段１９の位置検出手段を除湿装置の制御を行う電装基板３１に設けることによって、基板のコストダウンと省スペースを実現できる。
【００７１】
また、切替え手段１９が第２吹出し口１７を閉塞したことを検出することにより、検出時に本体内のヒーターの通電を止め、より冷風の温度を下げることができる。
【００７２】
また、切替え手段１９の下方面に第３吹出し口１８へ吹出す空気が流れやすい方向に案内リブ３２を設けることによって、通風抵抗を低減することができる。
【００７３】
また、切替え手段１９の下方面に第３吹出し口１８へ吹出す空気の抵抗となる方向に抵抗リブ３３を設けることによって、風の力を利用して切替え手段１９の固定をより確実なものとすることができる。
【産業上の利用可能性】
【００７４】
以上のように本発明にかかる除湿装置は、循環経路１１１を設けない構成とし、吸熱器１０５を通過して温湿度が低下した空気を分離して室内に吹出すことが可能であり、吹出し口から冷風感を得ることが所望される用途に適している。
【図面の簡単な説明】
【００７５】
【図１】本発明の実施形態１にかかる除湿装置の吹出し部の展開図
【図２】同、本体展開図
【図３】同、概略構成を示した断面図
【図４】同、切替え手段の本体下方からの斜視図
【図５】同、切替え手段と風路の関係を示す断面図
【図６】（ａ）同、切替え手段の外観斜視図  （ｂ）同、バネ押し部と板バネの関係を示す概略平面図
【図７】同、切替え手段の摺動方向に直交した断面図
【図８】従来の除湿装置の概略構成を示した断面図
【符号の説明】
【００７６】
１      メイン送風ファン（送風手段）
２      バイパス送風ファン（バイパス送風手段）
１６    第１吹出し口
１７    第２吹出し口
１８    第３吹出し口
１９    切替え手段
１９ａ  可動板
２０    レール
２１    凸部
２２    凹部
２３    磁石（固定手段、位置検出手段）
２４    金属板（固定手段）
２５    バネ押し部
２６    板バネ
２７    切替え固定部
２８    切替え摺動部
２９    非接触型検出装置（位置検出手段）
３０    接触型検出装置（位置検出手段）
３１    電装基板
３２    案内リブ
３３    抵抗リブ
１０２  圧縮機
１０３  放熱器
１０４  膨張機構
１０５  吸熱器
１１６  除湿対象空気
１１７  冷媒
１１８  ヒートポンプ
１１９  吸放湿手段
１２０  吸湿部
１２１  放湿部
【図１】
2006205032.tif 000003
【図２】
2006205032.tif 000004
【図３】
2006205032.tif 000005
【図４】
2006205032.tif 000006
【図５】
2006205032.tif 000007
【図６】
2006205032.tif 000008
【図７】
2006205032.tif 000009
【図８】
2006205032.tif 000010